(57)【要約】【課題】コンクリート型枠の開口部を開閉する蓋体とコンクリート型枠との衝撃を緩和できるようにする。【解決手段】コンクリート型枠１の開口部１Ａを開閉する蓋体４を回動自在に軸支する。蓋体４とコンクリート型枠１の支持フレーム５とを第２のダンパ１２で連結する。蓋体４はコンクリートの充填時及び脱型時に蓋体４を開閉する。蓋体４を開く際、蓋体４が第２のダンパ１２で支持され、軽い力で開閉可能であるとともに、蓋体４と型枠１との衝撃が緩和される。【選択図】　　　図１
2004009603.tif 000002
【特許請求の範囲】
【請求項１】
複数の側板と、各側板を支持する底板とを有して上面を開口する枠状の型枠本体と、この型枠本体の開口部を開閉する回動自在な蓋体とを備えたコンクリート型枠において、前記蓋体を閉める際の衝撃を緩和する緩衝装置を設けたことを特徴とするコンクリート型枠。
【請求項２】
前記緩衝装置が、型枠本体と前記蓋体との間に連結したダンパ装置によって構成されていることを特徴とする請求項１記載のコンクリート型枠。
【請求項３】
前記緩衝装置が、前記蓋体を開閉駆動するシリンダ装置によって構成したことを特徴とする請求項１記載のコンクリート型枠。
【発明の詳細な説明】
【０００１】
【発明の属する技術分野】
本発明は、コンクリートを成形するコンクリート型枠、特に、コンクリート型枠の開口部を塞ぐ上枠の開閉時に生じる衝撃を緩和するコンクリート型枠に関する。
【０００２】
【従来の技術】
従来のコンクリート型枠は、たとえば４枚の側板と、これら各側板とを支持する底板とを有して上面を開口したほぼ箱状に形成され、上面の開口部からコンクリートを流し込み、開口部を蓋体を塞ぐ。この後、蒸気で養生して固化し、製品が成形する。そして、コンクリート型枠で成形した製品を脱型するために、蓋体を開き、各側板を展開させて、コンクリート型枠から製品を取出す。このように、製品を脱型すると、再びコンクリート型枠を箱状に組立て、以後、同様な手順で成形作業を行うものである。
【０００３】
ところで、このようなコンクリート型枠は、一般にコンクリート型枠を構成する側板や蓋体は鋼板によって形成された堅牢な構造的である。このため、コンクリート型枠の型閉時、あるいは、型締時に重い側板や蓋体を操作する必要があり、特に蓋体は、コンクリート型枠の上部に設けられているから、その開閉に大きな力を必要となり、重労働であった。特に、型枠本体あるいは型枠本体の支持フレームに立設した支持部材に蓋体を回動自在に枢着して型枠本体の開口部を開閉する構造では、蓋体の開閉時、蓋体を支える必要があり、非常に重労働である。さらに、重い蓋体を支えきれないで、蓋体が急激に倒れることも懸念され、危険であるうえ、蓋体が倒れる際の衝撃によって、コンクリート型枠が変形するなどの問題があった。
【０００４】
本発明は、蓋体を軽い力で容易に開閉することができるとともに、蓋体を閉じる際の衝撃を確実に吸収することができるコンクリート型枠の緩衝装置を提供することを目的とする。
【０００５】
【課題を解決するための手段】
本発明の請求項１のコンクリート型枠の緩衝装置は、複数の側板と、各側板を支持する底板とを有して上面を開口する枠状の型枠本体と、この型枠本体の開口部を開閉する回動自在な蓋体とを備えたコンクリート型枠において、前記蓋体を閉める際の衝撃を緩和する緩衝装置を設けたものである。
【０００６】
上記構成により、蓋体を開いて型枠の開口部からコンクリートを充填し、コンクリート充填後、蓋体を閉めて型枠の型閉めを行う。そして、所定時間、コンクリートを養生してから、型枠で成形したコンクリート成形体を脱型する際、蓋体を開閉することになるが、蓋体を閉じる際、蓋体は緩衝装置によって蓋体が自重によって急激に倒れることなく、緩慢な動作で倒れるから、蓋体を閉じる際の衝撃を吸収することができる。
【０００７】
本発明の請求項２のコンクリート型枠の緩衝装置は、前記緩衝装置が、型枠本体と前記蓋体との間に連結したダンパ装置によって構成されているものである。
【０００８】
上記構成により、ダンパ装置によって蓋体と型枠とが衝突する際の衝撃を緩和することができる。
【０００９】
本発明の請求項３のコンクリート型枠の緩衝装置は、前記緩衝装置が、前記蓋体を開閉駆動するシリンダ装置によって構成したものである。
【００１０】
上記構成によりシリンダ装置により蓋体の開閉が自動化される。
【００１１】
【発明の実施形態】
以下、本発明の実施例について、図１及び図２を参照して説明する。同図において、１は例えば建設工事に用いられるコンクリート成形品として例えばコンクリートブロックを成形するためなどに用いられるコンクリート型枠１（以下、単に型枠と称す）であり、基本的にそれぞれ対向する４枚の側板２と、これら側板２を支持する底板３とを備えた枠状を成している。この型枠１は、内部にコンクリートを充填するために、上面を開口し、その開口部１Ａを蓋体４で開閉するようにしている。また、前記底板３の裏面側には枠状の支持フレーム５に設けられており、この支持フレーム５の両側にそれぞれブラケット７，８が固定されている。そして、一方のブラケット７の外面にはさらに前記蓋体４を回動自在に枢着する支柱１０が固定されている。そして、他方のブラケット７及び前記蓋体４と支持フレーム５との間には、それぞれ緩衝装置として第１及び第２のダンパ１１，１２が取り付けられている。前記ブラケット７に固定される第１のダンパ１１は、内部に図示しないばね等を備えたシリンダ１３とシリンダロッド１４と備え、シリンダロッド１４の先端に、前記蓋体４に当接するゴム等の柔軟材料からなるクッション部材１５を取り付けている。また、蓋体４と支持フレーム５との間に架設するダンパ１２は内部に作動油を充填したシリンダ１７と、シリンダロッド１８を備えた油圧式であり、シリンダ１７を蓋体４に枢着し、シリンダロッド１８を支持フレーム５に枢着している。なお、図中２０は蓋体４を開いた際に蓋体４を支持する受板である。
【００１２】
以上のように構成される本実施例は、蓋体４を開いて型枠１の開口部１Ａからコンクリートを充填する。この時、開いた蓋体４は受板２０側に倒して受板２０する。この状態で、型枠１にコンクリートを充填した後、蓋体４を閉めて型枠１の型閉めを行う。そして、所定時間、コンクリートを養生してから、蓋体４を閉いて成形したコンクリート成形体（図示せず）を吊り上げて脱型する。以後、同様な手順により、コンクリート成形体を成形する。このように、コンクリート成形体を成形する際、蓋体４を開閉してコンクリートの充填及びコンクリート成形体の脱型を行うが、蓋体４と型枠１を支持する支持フレーム５との間に第２のダンパ１２を設けているから、蓋体４を軽い力で開閉することができる。特に、大型の型枠１においては、蓋体４を閉める際、蓋体４は自重によって倒れ、これを支えるのは、多数の人手が必要であり、これを小人数で行うには極めて重労働である。そして、小人数で蓋体４を閉じる際、支え切れない場合、急激に倒れて危険であるが、本実施例では、蓋体４と型枠１を支持する支持フレーム５との間に第２のダンパ１２を架設され、蓋体４が第２のダンパ１２で支えられているから、蓋体４が自重によって急激に倒れることなく、緩慢な動作で倒れるから、安全である。しかも、型枠１の外側に固定したブラケット７には蓋体４と当接する位置にクッション部材１５を有する第１のダンパ１１が固定され、蓋体４を閉じた際、まず、蓋体４がクッション部材１５に当接し、さらに、第１のダンパ１１のシリンダ１３によって蓋体４を閉じる際の衝撃を確実に吸収することができるから、蓋体４と型枠１とが衝突することなく、その衝撃を確実に吸収することができる。したがって、蓋体４あるいは型枠１が衝撃によって変形することはない。
【００１３】
以上、本発明の一実施例について説明したが、本発明の要旨の範囲内で種々の変形実施が可能である。例えば、型枠１の構造としては、支持フレーム５に側板２を起伏自在に枢着し、コンクリートの成形時に側板２を起伏する構造であってもよく、型枠１の基本的構造は適宜選定すればよいものである。また、蓋体の緩衝装置としてダンパを示したが図３に示すように、蓋体４と支持フレーム５との間を油圧ポンプ２５で駆動する油圧シリンダ２５で架設し、この油圧シリンダ２５によって蓋体４の開閉を制御するように構成してもよい。このように、油圧シリンダ２５によって蓋体４を開閉するようにすれば、コンクリートの脱型時の蓋体４の開閉操作を自動化できる。さらに、このようなダンパあるいはシリンダとして油圧型に限らずエア型のものであってもよい。
【００１４】
【発明の効果】
本発明の請求項１のコンクリート型枠の緩衝装置は、複数の側板と、各側板を支持する底板とを有して上面を開口する枠状の型枠本体と、この型枠本体の開口部を開閉する回動自在な蓋体とを備えたコンクリート型枠において、前記蓋体を閉める際の衝撃を緩和する緩衝装置を設けたものであるから、蓋体が緩衝装置によって支えられ、軽い力で開閉することができる。また、大型で重い蓋体を閉める際、蓋体が自重によって急激に倒れることなく、緩慢な動作で倒れるから、蓋体と型枠とが衝突する際の衝撃を緩和することができる。
【００１５】
本発明の請求項２のコンクリート型枠の緩衝装置は、前記緩衝装置が、型枠本体と前記蓋体との間に連結したダンパ装置によって構成されているものであるから、ダンパ装置によってダンパ装置によって支えられ、軽い力で開閉することができる。また、大型で重い蓋体を閉める際、蓋体が自重によって急激に倒れることなく、緩慢な動作で倒れるから、蓋体と型枠とが衝突する際の衝撃を緩和することができる。
【００１６】
本発明の請求項３のコンクリート型枠の緩衝装置は、前記緩衝装置が、前記蓋体を開閉駆動するシリンダ装置によって構成したものであるから、蓋体の開閉を自動化でき、より簡単に蓋体を開閉することができる。
【図面の簡単な説明】
【図１】本発明の一実施例を示す型枠の断面図であり、型開き状態を示している。
【図２】同上型枠の断面図であり、型開き状態を示している。
【図３】本発明の変形例を示す型枠の断面図である。
【符号の説明】
１　型枠
１Ａ　開口部
１１　第１のダンパ（緩衝装置）
１２　第２のダンパ（緩衝装置）
２１　油圧シリンダ（緩衝装置）
【図１】
2004009603.tif 000003
【図２】
2004009603.tif 000004
【図３】
2004009603.tif 000005